(57)【要約】【課題】  外部通信用の中継器の通信設定作業を効率よく行い得る遊技台用台間機を提案すること。【解決手段】  遊技台用台間機６の台間機本体１０の背面１１ａには通信用の中継器１４が取り付けられ、その中継器ボックス３３の背面３３ａに形成した開口部４６を封鎖しているジャンパーカバー５０は、幅方向に直線状に形成した折り曲げ部分５１と、中継器ボックス３３の上面３３ｂに固定した固定部分５２と、開口部４６を封鎖しているカバー本体部分５３とを備えている。ジャンパーカバー５０を取り外すことなく、カバー本体部分５３を封鎖位置５３Ａから上側の開き位置５３Ｂまで開くと、カバー本体部分５３がそこに止まり、開口部４６を通してジャンパーピン４７を臨むことができ、ジャンパーソケット４９を用いてこれらを選択的に短絡させて、所望の通信設定を行うことができる。ジャンパーカバー５０の紛失や、付け忘れの危険性もなくなる。【選択図】  図４
2005342242.tif 000002
【特許請求の範囲】
【請求項１】
通信用の中継器を有し、
この中継器は、中継器ボックスと、この中継器ボックス内に配置された通信設定を行うための複数本のジャンパーピンと、これらのジャンパーピンを外側から臨むことができるように前記中継器ボックスに形成した開口部と、この開口部を封鎖するためのジャンパーカバーとを備え、
前記ジャンパーカバーは、前記開口部を封鎖した封鎖位置から前記開口部を開いた開き位置までの間を移動可能なカバー本体部分を備えている遊技台用台間機。
【請求項２】
請求項１において、
前記カバー本体部分は、自立状態、あるいは台間機側の部位に立て掛けられた状態で前記開き位置に保持可能である遊技台用台間機。
【請求項３】
請求項２において、
前記カバー本体部分の裏面に、ジャンパーピン設定方法が記載された説明書が印刷あるいは貼り付けられている遊技台用台間機。
【請求項４】
請求項１ないし３のうちのいずれかの項において、
前記ジャンパーカバーは所定の厚さの板材であり、
前記板材に形成した薄肉の折り曲げ可能な直線状部分と、
この折り曲げ可能な直線状部分を挟み、前記板材における一方の側の部分が前記カバー本体部分であり、他方の側の部分が前記中継器ボックスに固定された固定部分とされている遊技台用台間機。
【請求項５】
請求項４において、
前記ジャンパーカバーはプラスチック板である遊技台用台間機。
【請求項６】
請求項５において、
前記中継器ボックスは、上面部分と、この上面部分の縁から直角に延びている背面部分とを備えており、
前記背面部分に前記開口部が形成されており、
前記固定部分が前記上面部分に固定され、前記折り曲げ可能な直線状部分が前記上面部分の縁に沿って位置しており、当該直線状部分を中心として、前記カバー本体部分が前記背面部分の前記開口部を封鎖した前記封鎖位置から前記開き位置まで旋回可能である遊技台用台間機。
【請求項７】
請求項６において、
前記プラスチック板の前記固定部分が両面接着テープなどの接着層を介して前記中継器ボックスの上面部分に貼り付けられている遊技台用台間機。
【請求項８】
請求項１ないし７のうちのいずれかの項において、
台間機ホルダと、
前記台間機ホルダに対して着脱可能な状態で差し込み固定されている台間機本体とを有し、
前記台間機ホルダの背面に前記中継器が取り付けられている遊技台用台間機。
【発明の詳細な説明】
【技術分野】
【０００１】
本発明は、パチンコ玉などの遊技媒体の貸し出しを行う遊技台用台間機に関するものである。さらに詳しくは、外部との通信を行うために取り付けられている中継器の通信設定を複数本のジャンパーピンを選択的に短絡させることにより行う設定部を備えた遊技台用台間機に関するものである。
【背景技術】
【０００２】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、一般に、遊技島取付枠に固定された台間機ホルダと、ここに前側から着脱可能な状態で差込固定された台間機本体から構成されている。台間機は、台間機本体に内蔵されている制御器が隣接の遊技台や遊技店の管理コンピュータとの間で通信を行うための中継器が備わっており、当該中継器は一般に台間機ホルダの背面に取り付けられている。制御器は、台間機本体と台間機ホルダの間を繋ぐコネクタを介して中継器に接続されており、中継器の中継基板からは、インタフェースケーブル、各種のパルス出力用のケーブルなどが引き出されて、隣接の遊技台や管理コンピュータの側に接続されている。
【０００３】
ここで、中継器には、隣接の遊技台の機種などに応じて、例えば、出力パルス幅を変更するなど、各種の通信設定を行うための設定部が設けられている。設定部としては、一般に、ジャンパーソケットを用いて複数本のジャンパーピンを選択的に短絡させることにより設定を行う構成のものが採用されている。設定作業においては、中継器ボックスの背面に形成した開口部を封鎖しているジャンパーカバーを取り外し、開口部から望むことのできるジャンパーピンを、説明書を見ながら、設定内容に対応したもの同士を短絡させる。設定作業が終了した後は、ジャンパーカバーを中継器ボックスに再び取り付けて開口部を封鎖している。ジャンパーピンの短絡設定手順や方法は、例えば、ジャンパーカバーの表面に印刷あるいは貼り付けられている。したがって、作業者は、取り外したジャンパーカバーを手に持って、その表面の説明書を見ながら設定作業を行っている。また、ジャンパーカバーは板金製品であり、中継器ボックスにねじ止め固定されている。
【発明の開示】
【発明が解決しようとする課題】
【０００４】
従来の中継器におけるジャンパーピンによる通信設定作業においては、通信設定の度にジャンパーカバーの取り外し、取り付け作業が必要である。また、ジャンパーカバーの表面に設定のための説明書が付いている場合には、設定作業時に片手でジャンパーカバーを持った状態で行う必要があるので不便である。さらには、設定作業のために取り外したジャンパーカバーを紛失する危険性や、設定作業終了後にジャンパーカバーを付け忘れる危険性もある。
【０００５】
本発明の課題は、このような問題点を解消可能な中継器を備えた遊技台用台間機を提案することにある。
【課題を解決するための手段】
【０００６】
上記の課題を解決するために、本発明の遊技台用台間機は、通信用の中継器を有し、この中継器は、中継器ボックスと、この中継器ボックス内に配置された通信設定を行うための複数本のジャンパーピンと、これらのジャンパーピンを外側から臨むことができるように前記中継器ボックスに形成した開口部と、この開口部を封鎖するためのジャンパーカバーとを備え、前記ジャンパーカバーは、前記開口部を封鎖した封鎖位置から前記開口部を開いた開き位置までの間を移動可能なカバー本体部分を備えていることを特徴としている。
【０００７】
ここで、前記カバー本体部分を、自立状態、あるいは台間機側の部位に立て掛けられた状態で前記開き位置に保持可能とすることが望ましい。
【０００８】
この場合には、前記カバー本体部分の裏面に、ジャンパーピン設定方法が記載された説明書を印刷あるいは貼り付けておけばよい。
【０００９】
また、前記ジャンパーカバーを所定の厚さの板材とし、当該板材に薄肉の折り曲げ可能な直線状部分を形成し、前記直線状部分を挟み、前記板材における一方の側の部分を前記カバー本体部分とし、他方の側の部分を前記中継器ボックスに固定された固定部分とすればよい。
【００１０】
ジャンパーカバーとしては、ポリエステルやポリプロピレンなどのプラスチック板を用いることができる。
【００１１】
次に、前記中継器ボックスは一般に直方体形状をしており、上面部分と、この上面部分の縁から直角に延びている背面部分とを備え、前記背面部分に前記開口部が形成されている。この場合には、前記固定部分を前記上面部分に固定し、前記折り曲げ可能な直線状部分を前記上面部分の縁に沿って配置し、当該直線状部分を中心として、前記カバー本体部分を、前記背面部分の前記開口部を封鎖した前記封鎖位置から前記開き位置まで旋回可能とすればよい。
【００１２】
この場合には、前記固定部分を両面接着テープなどの接着層を介して前記中継器ボックスの上面部分に貼り付けておくことができる。
【００１３】
ここで、遊技台用台間機は、一般に、台間機ホルダと、前記台間機ホルダに対して着脱可能な状態で差し込み固定されている台間機本体とから構成されている。この場合には、前記台間機ホルダの背面に前記中継器が取り付けられる。
【発明の効果】
【００１４】
本発明の遊技台用台間機では、その中継器におけるジャンパーピンを外部から臨むことのできる開口部を封鎖しているジャンパーカバーにおけるカバー本体部分を開閉できるように構成されている。したがって、通信設定作業において中継器ボックスからジャンパーカバーを取り外す必要がなく、単に、カバー本体部分のみを中継器ボックスから取り外して開き位置まで移動すればよい。したがって、ジャンパーカバー自体の取り外し、取り付け作業が不要になるので、通信設定作業の効率化を図ることができる。
【００１５】
また、ジャンパーカバーはその固定部分によって中継器ボックスに固定されているので、通信設定作業においてジャンパーカバーを紛失する危険性や、ジャンパーカバーを付け忘れる危険性も無くなる。
【００１６】
さらに、ジャンパーカバーのカバー本体部分をその開き位置に自立状態で保持できるようにすれば、設定作業において、開いた状態のカバー本体をその位置に押えておく必要がないので、設定作業がし易くなるという利点がある。この代わりに、台間機背面などの部位に立て掛けた状態が開き位置となるようにしておいても同様な効果が得られる。
【００１７】
また、この場合において、カバー本体の裏面に通信設定の説明書を付けておけば、従来のように取り外したジャンパーカバーを片手で持ちながら説明書を見る必要がないので、設定作業がし易くなるという利点がある。
【００１８】
一方、本発明のジャンパーカバーはプラスチック板を用いて形成でき、従来の板金製のものに比べて廉価に製造できるという利点もある。
【発明を実施するための最良の形態】
【００１９】
以下に、図面を参照して、本発明を適用した遊技台用台間機を備えた遊技システムを説明する。
【００２０】
図１は本実施の形態に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機（遊技台用台間機）６とを備えている。
【００２１】
図２（ａ）、（ｂ）および（ｃ）は台間機６の正面図、側面図および裏面図であり、図３は台間機ホルダから台間機本体を引き抜いた状態を示す側面図である。これらの図に示すように、台間機６は、遊技島取付枠３に固定されている台間機ホルダ１０と、この台間機ホルダ１０に対して前方から水平に差し込み固定可能な台間機本体２０から構成されている。
【００２２】
台間機ホルダ１０は、垂直に延びる前方に開口しているコの字状断面の縦枠１１と、この縦枠１１の上端から前方に水平に延び、下方に開口しているコの字状断面の上側水平ガイド枠１２と、縦枠１１の下端から前方に水平に延び、上方に開口しているコの字状断面の下側水平ガイド枠１３を備えている。また、縦枠１１の背面に取り付けられた中継器１４と、下側水平ガイド枠１３に前側から水平に差し込まれて固定されている電源ユニット１５とを備えている。電源ユニット１５の上面に沿って、縦枠１１から前方に向けて水平に水平ガイド枠１６が延びており、上側水平ガイド枠１２と水平ガイド枠１６の間に、台間機本体２０が差し込まれる。電源ユニット１５からは電源ケーブル１７が引き出されており、外部から電力が供給される。また、中継器１４には、電源ユニット１５から電源ケーブル１８を介して電力が供給される。
【００２３】
一方、台間機本体２０は、本体ケース２１と、この本体ケース２１に内蔵されているカードリーダライタ２２、制御器２３および紙幣識別機２４と、本体ケース２１の前面に取り付けられている前面パネル２５とを備えている。
【００２４】
ここで、中継器１４は、図３に示すように、縦枠１１の背面に固定した取り付け板３１に取り付けられている中継基板３２と、中継基板３２を覆っている上下に長い中継器ボックス３３とを備えている。中継基板３２には前向き状態にホルダ側コネクタ３４が搭載されており、ホルダ側コネクタ３４の上下には取り付け板３１に取り付けたガイドピン３５、３６が前方に水平に突出している。また、中継基板３２には後向きに複数の外部通信用のコネクタ３７、３８、３９などが搭載されており、これらのコネクタが、中継器ボックス３３に形成した開口から後方に突出している。
【００２５】
これに対して、台間機本体２０の側の台間機制御器２３は本体ケース２１に対して上下方向にスライド可能に取り付けられており、その制御基板４１の後端部分には本体側コネクタ４２が後向きに搭載されている。
【００２６】
台間機本体２０を台間機ホルダ１０に差し込むと、ガイドピン３５、３６によって本体側コネクタ４２とホルダ側コネクタ３４が自動的に位置決めされて、これらが接続された状態が形成される。この結果、制御器２３は中継器１４を経由して、隣接する遊技台５や管理コンピュータ(図示せず）との間で通信が可能になる。
【００２７】
（中継器）
次に、図４（ａ）および（ｂ）は中継器の斜視図であり、図５はその部分拡大断面図である。これらの図を参照して説明すると、中継器１４の中継器ボックス３３は、その背面３３ａにおける上端側の部位に、上下方向に僅かに長い矩形の開口部４６が形成されている。この開口部４６の前方に位置している中継基板３２の上端部分には、当該中継基板３２から後方に向けて水平に延びている複数本のジャンパーピン４７を備えた通信設定用の設定部４８が配置されている。ジャンパーピン４７を選択的にジャンパーソケット４９を用いて短絡させることにより、所望の通信設定を行うことができるように通信回路が構成されている。開口部４６はジャンパーカバー５０によって封鎖されている。
【００２８】
ジャンパーカバー５０は一定厚さのポリエステル、ポリプロピレンなどのプラスチック板から形成されている。このジャンパーカバー５０には幅方向に直線状に延びる折り曲げ部分５１が形成されている。折り曲げ部分５１は、図５において一点鎖線で示すように、平板状のプラスチック板に所定深さのＶ溝５１ａを形成して得られた薄肉部分によって規定されている。この折り曲げ部分５１の上側の短い板部分が、中継器ボックス３３の上面３３ｂに固定された固定部分５２であり、折り曲げ部分５１の下側の長い板部分が開口部４６を封鎖しているカバー本体部分５３である。
【００２９】
本例では、折り曲げ部分５１が中継器ボックス３３の上面３３ｂと、ここから下方に直角に延びている背面３３ａとの出隅３３ｃに沿って配置されている。この折り曲げ部分５１を中心として、カバー本体部分５３は、図４（ａ）に示す開口部４６を封鎖している封鎖位置５３Ａと、ここから上方に１８０度以上の角度だけ旋回した図４（ｂ）に示す開き位置５３Ｂとの間を旋回可能となっている。開き位置５３Ｂまで旋回したカバー本体部分５３はその位置に自立可能となっている。あるいは、台間機ホルダ１０の縦枠１１の背面１１ａに立て掛けられた状態で開き位置５３Ｂに保持されるようにしてもよい。
【００３０】
固定部分５２は両面接着テープ６０によって中継器ボックス３３の上面３３ａに貼り付けられている。勿論、他の方法により上面３３ａに固定してもよい。また、本例では、カバー本体部分５３の裏面５３ａには、通信設定方法が記載された説明書５４が印刷あるいは貼り付けられている。図４（ｂ）から分かるように、カバー本体部分５３を開き位置５３Ｂまで開けると、その裏面５３ａが後向きの状態で、カバー本体部分５３がその位置に自立した状態になる。したがって、通信設定のために中継器１４の後側に立った作業者が裏面５３ａの説明書５４を見ることができる。
【００３１】
ここで、カバー本体部分５３の下端の角部分にはねじ穴５３ｂが形成されており、このねじ穴５３ｂに対応する中継器ボックス３３の背面部分３３ａにもねじ穴３３ｄが形成されている。これらのねじ穴を介して、背面側から固定ねじ５５をねじ込むことにより、カバー本体部分５３を中継器ボックスの背面５３ａに固定できる。よって、カバー本体部分５３が不用意に開閉することが無い。
【００３２】
この構成の中継器１４の通信設定作業においては、固定ねじ５５を外し、しかる後に、カバー本体部分５３を封鎖位置５３Ａから開き位置５３Ｂまで旋回する。この結果、カバー本体部分５３が開き位置５３Ｂに自立状態に保持され、後ろ側から開いた開口部４６を通して設定部４８のジャンパーピン４７を臨むことができる（図４（ｂ））。
【００３３】
この後は、自立状態にあるカバー本体部分５３の裏面５３ａに付いている説明書５４を見ながら、ジャンパーソケット４９を用いてジャンパーピン４７を選択的に短絡させて、所望の通信回路を構成するという通信設定作業を行う。
【００３４】
作業終了後は、カバー本体部分５３を封鎖位置５３Ａに戻して、固定ねじ５５により当該カバー本体部分５３を中継器ボックス３３の背面部分３３ａに固定する。これにより作業が終了する（図４（ａ））。
【００３５】
このように、開口部４６を封鎖しているジャンパーカバー５０を中継器ボックス３３から取り外す作業および取り付ける作業が不要になる。したがって、設定作業の作業効率を上げることができる。また、ジャンパーカバー５０の紛失の危険性や、作業終了後に付け忘れる危険性もなくなる。これに加えて、カバー本体部分５３が開き位置５３Ｂに自立状態で止まり、作業者はカバー本体部分５３を手で保持することなく、その裏面に付いている説明書を見ることができる。これによっても、設定作業の作業効率を高めることができる。
【００３６】
なお、本例では、一枚のプラスチック板にＶ溝を形成して折り曲げ部分５１を形成することにより、カバー本体部分５３を閉鎖位置および開き位置に旋回できるようにしている。折り曲げ部分５１の代わりに、例えば蝶番などのヒンジ機構を用いることも可能である。
【図面の簡単な説明】
【００３７】
【図１】本発明を適用した遊技システムを示す部分正面図である。
【図２】図１の遊技システムの台間機の正面図、側面図および裏面図である。
【図３】図２の台間機における台間機ホルダから台間機本体を引き抜いた状態を示す側面図である。
【図４】中継器におけるジャンパーカバーが閉じている状態の斜視図およびジャンパーカバーが開いている状態の斜視図である。
【図５】ジャンパーカバーの折り曲げ部分を示す部分拡大断面図である。
【符号の説明】
【００３８】
１    遊技システム
２    遊技島
３    遊技島取り付け枠
４    遊技ユニット
５    遊技台
６    台間機（遊技台用台間機）
１０  ホルダ
１４  中継器
２０  台間機本体
２１  本体ケース
２２  電源ユニット
２３  台間機制御器
３２  中継基板
３３  中継器ボックス
３３ａ  背面
３３ｂ  上面
３３ｃ  出隅
３３ｄ  ねじ穴
３４  ホルダ側コネクタ
４１  制御基板
４２  本体側コネクタ
４６  開口部
４７  ジャンパーピン
４８  設定部
４９  ジャンパーソケット
５０  ジャンパーカバー
５１  折り曲げ部分
５１ａ  Ｖ溝
５２  固定部分
５３  カバー本体部分
５３Ａ  封鎖位置
５３Ｂ  開き位置
５３ａ  裏面
５３ｂ  ねじ穴
５４  説明書
５５  固定ねじ
６０  両面接着テープ
【図１】
2005342242.tif 000003
【図２】
2005342242.tif 000004
【図３】
2005342242.tif 000005
【図４】
2005342242.tif 000006
【図５】
2005342242.tif 000007